(57)【特許請求の範囲】
【請求項１】
遊技盤の盤面に配置されて遊技状況に応じた画像を表示する表示器の画面の前方に、閉じた形状の枠状演出体を出没させるシャッタ役物装置であって、
前記枠状演出体は、閉じた形状の第１方向あるいは第２方向に二分された一対の可動部材から形成され、この一対の可動部材が、その各下端部分を支点として前記の閉じた形状の第１方向あるいは第２方向に開閉可能に構成され、
前記画面の下方側には駆動機構が配置され、
前記駆動機構は、前記一対の可動部材について、
開状態で下降位置に位置させている待機姿勢と、閉状態で上昇位置に位置させている完成姿勢との間を、相互に移行駆動可能に構成され、
前記駆動機構は、前記一対の可動部材の開閉を行なわせる開閉用駆動機構部と、この開閉用駆動機構部を昇降させる昇降用駆動機構部とを備えることを特徴とするシャッタ役物装置。
【請求項２】
前記開閉用駆動機構部はその構成部品がケースに組み付けられ、
このケースは、該ケース近傍の適宜の静止部に設けられたガイド体に案内されて昇降されると共に、少なくともその下降位置にて上方への偏倚力が働く弾性体に吊り下げられていることを特徴とする請求項１に記載のシャッタ役物装置。
【請求項３】
前記一対の可動部材には前記の閉じた形状の外周側に延出するガイド片が形成され、かつ、前記画面の周囲の構成部材には前記ガイド片が挿通されるガイド溝が形成され、
前記一対の可動部材は、前記ガイド片が前記ガイド溝に案内されつつ開閉されることを特徴とする請求項１又は２に記載のシャッタ役物装置。
【請求項４】
遊技盤の盤面に配置されて遊技状況に応じた画像を表示する表示器の画面の前方に、ハート形状の枠状演出体を出没させるシャッタ役物装置であって、
前記枠状演出体は、ハート形状の上部の左右方向ほぼ中央位置で縦割にて二分された一対の縦割ハート部材で形成され、この一対の縦割ハート部材が、その各下端部分を支点として前記ハート形状の上部の左右方向ほぼ中央位置にて開閉可能に構成され、
前記画面の下方側には駆動機構が配置され、
前記駆動機構は、前記一対の縦割ハート部材について、
開状態で下降位置に位置させている待機姿勢と、閉状態で上昇位置に位置させているハート完成姿勢との間を、相互に移行駆動可能に構成され、
前記駆動機構は、前記一対の縦割ハート部材の開閉を行なわせる開閉用駆動機構部と、この開閉用駆動機構部を昇降させる昇降用駆動機構部とを備えることを特徴とするシャッタ役物装置。
【発明の詳細な説明】
【技術分野】
【０００１】
本発明は、遊技盤の盤面に配置されて遊技状況に応じた画像を表示する表示器の画面の前方（遊技者側）に演出体を出没させるシャッタ役物装置に関するものである。
【背景技術】
【０００２】
近年、遊技機、特にパチンコ機においては、遊技状況に応じた画像を表示して遊技の演出を行なう表示器を遊技盤の盤面の中央に配置した機種が多い。そして、遊技の演出に面白みを加えるために、上記表示器の画面を正面視したときの画面に重なる領域内（以下単に画面の前方と記す。）に適宜形状の演出体を適時、出没（出現／隠蔽）させるシャッタ役物装置を備えた機種も少なくない。
【０００３】
このようなシャッタ役物装置において、上記演出体の形状には種々あるが、その１つにハート形状がある。そして従来、このハート形状を２分割して各々表示器の画面の周囲に隠しておき、遊技の面白みを増し得る適時に、表示器の画面の前方にハート形状（完成したハート形状）を出現させるというシャッタ役物装置が開発されていた（例えば、特許文献１参照）。
【先行技術文献】
【特許文献】
【０００４】
【特許文献１】特開２００９−１１２６５８号公報
【発明の概要】
【発明が解決しようとする課題】
【０００５】
ところで近年、遊技機における表示器の画面（表示器画面）の拡大傾向は著しく、このため、２分割されたハート形状の枠状演出体の、表示器画面の前方からの隠蔽時における収納スペースの確保が困難になってきた。特に、表示器画面の大型化のみならず、ハート形状も大型化して演出効果を増し加えたい場合に、ハート形状の枠状演出体の上記隠蔽時における収納スペースの確保が一層困難になった。
【０００６】
特許文献１に記載されたシャッタ役物装置では、ハート形状の枠状演出体が、横割により二分して得られた一対の横割ハート部材で形成され、これが表示器画面の側方に配置された駆動機構により一対の横割ハート部材の一端側で上下方向に開閉可能に構成されている。そして、一対の横割ハート部材が開いている待機姿勢においては、一対の横割ハート部材が、表示器画面の側方を主要なスペースとしてその近辺を含むスペースに各々別個に収納され、表示器画面の前方から隠蔽されるというものである
【０００７】
しかし、このような従来のシャッタ役物装置では、上側の横割ハート部材についてはその先端部分とハート形状左右方向中央のほぼＶ字状の窪み部分との２箇所が表示器画面方向に突出する（特許文献１の図１０参照）。このためハート形状の大型化は、一対の横割ハート部材の待機姿勢において、上側の横割ハート部材の上記２箇所につき、表示器画面の前方に露出する（表示器画面に重なる）ことがないようにハート形状を設定する、という制限付きで可能となるに過ぎない。したがって結局は、ハート形状を小さくするか、２分割したハート形状の枠状演出体を表示器画面の周囲に収め得るスペースを確保するために表示器画面を小さく（表示器を小形化）するか、いずれかを選択せざるを得なかった。
【０００８】
また、ハート形状の枠状演出体の駆動機構が表示器画面の側方に配置されるので、同表示器画面の側方に上記駆動機構の配置スペースを確保できない場合には、この特許文献１に記載されたシャッタ役物装置を設置できなかった。
【０００９】
本発明は、上記のような実情に鑑みなされたもので、ハート形状等の閉じた形状の枠状演出体を大きくしても、一対の部材の待機姿勢時において、その部材の露出（表示器画面への重なり）を生じさせず、枠状演出体形状の大型化と表示器画面の大型化とを両立できて演出効果の増大を図り得、しかも表示器画面の側方に枠状演出体の駆動機構の配置スペースがなくても設置可能なシャッタ役物装置を提供することを課題とする。
【課題を解決するための手段】
【００１０】
上記課題を達成するために、請求項１に記載の発明は、遊技盤の盤面に配置されて遊技状況に応じた画像を表示する表示器の画面の前方に、閉じた形状の枠状演出体を出没させるシャッタ役物装置であって、前記枠状演出体は、閉じた形状の第１方向あるいは第２方向に二分された一対の可動部材から形成され、この一対の可動部材が、その各下端部分を支点として前記の閉じた形状の第１方向あるいは第２方向に開閉可能に構成され、前記画面の下方側には駆動機構が配置され、前記駆動機構は、前記一対の可動部材について、開状態で下降位置に位置させている待機姿勢と、閉状態で上昇位置に位置させている完成姿勢との間を、相互に移行駆動可能に構成され、前記駆動機構は、前記一対の可動部材の開閉を行なわせる開閉用駆動機構部と、この開閉用駆動機構部を昇降させる昇降用駆動機構部とを備えることを特徴とする。
上記の閉じた形状の第１方向あるいは第２方向に二分された一対の可動部材としては、例えば閉じた形状の左右方向に二分された一対の可動部材、好ましくは左右方向のほぼ中央位置で縦割にて二分された一対の縦割部材が挙げられる。この場合は、その一対の縦割部材を、各下端部分を支点として、前記の閉じた形状の左右方向のほぼ中央位置にて開閉可能に構成される。
請求項２に記載の発明は、請求項１に記載の発明において、前記開閉用駆動機構部はその構成部品がケースに組み付けられ、このケースは、該ケース近傍の適宜の静止部に設けられたガイド体に案内されて昇降されると共に、少なくともその下降位置にて上方への偏倚力が働く弾性体に吊り下げられていることを特徴とする。
請求項３に記載の発明は、請求項１又は２に記載の発明において、前記一対の可動部材には前記の閉じた形状の外周側に延出するガイド片が形成され、かつ、前記画面の周囲の構成部材には前記ガイド片が挿通されるガイド溝が形成され、前記一対の可動部材は、前記ガイド片が前記ガイド溝に案内されつつ開閉されることを特徴とする。
請求項４に記載の発明は、遊技盤の盤面に配置されて遊技状況に応じた画像を表示する表示器の画面の前方に、ハート形状の枠状演出体を出没させるシャッタ役物装置であって、前記枠状演出体は、ハート形状の上部の左右方向ほぼ中央位置で縦割にて二分された一対の縦割ハート部材で形成され、この一対の縦割ハート部材が、その各下端部分を支点として前記ハート形状の上部の左右方向ほぼ中央位置にて開閉可能に構成され、前記画面の下方側には駆動機構が配置され、前記駆動機構は、前記一対の縦割ハート部材について、開状態で下降位置に位置させている待機姿勢と、閉状態で上昇位置に位置させているハート完成姿勢との間を、相互に移行駆動可能に構成され、前記駆動機構は、前記一対の縦割ハート部材の開閉を行なわせる開閉用駆動機構部と、この開閉用駆動機構部を昇降させる昇降用駆動機構部とを備えることを特徴とするシャッタ役物装置。
【発明の効果】
【００１１】
請求項１に記載の発明では、枠状演出体を、閉じた形状の第１方向あるいは第２方向に二分された一対の可動部材から形成した。そして、この一対の可動部材を、各下端部分を支点として、閉じた形状の第１方向あるいは第２方向に開閉可能に構成した。また、一対の可動部材につき、開状態で下降位置に位置させている待機姿勢と、閉状態で上昇位置に位置させている完成姿勢との間を、相互に移行駆動する駆動機構を設け、この駆動機構を表示器画面の下方側に配置した。これによれば、枠状演出体を大きくしても、一対の部材の待機姿勢時において部材の露出を生じさせず、枠状演出体形状及び表示器画面の大型化が可能となり、演出効果を増大することができる。しかも、表示器画面の側方に枠状演出体の駆動機構の配置スペースがなくてもシャッタ役物装置の設置が可能である。
請求項２に記載の発明によれば、開閉用駆動機構部の構成部品をケースに組み付けたので、開閉用駆動機構部をコンパクトに構成できる。また、上記ケースを弾性体に吊り下げたので、開閉機構部の上昇駆動、特に上昇開始時の駆動をより円滑になし得る。
請求項３に記載の発明によれば、一対の可動部材を、各可動部材に形成されたガイド片がガイド溝に案内されつつ開閉されるようにしたので、一対の可動部材の開閉をより円滑になし得る。
請求項４に記載の発明では、枠状演出体を、ハート形状の上部の左右方向ほぼ中央位置で縦割にて二分された一対の縦割ハート部材で形成した。そして、この一対の縦割ハート部材を、各下端部分を支点としてハート形状の上部の左右方向ほぼ中央位置にて開閉可能に構成した。また、一対の縦割ハート部材につき、開状態で下降位置に位置させている待機姿勢と、閉状態で上昇位置に位置させているハート完成姿勢との間を、相互に移行駆動する駆動機構を設け、この駆動機構を表示器画面の下方側に配置した。これによれば、ハート形状の枠状演出体を大きくしても、一対のハート部材の待機姿勢時においてハート部材の露出を生じさせず、ハート形状及び表示器画面の大型化が可能となり、演出効果を増大することができる。しかも、表示器画面の側方に枠状演出体の駆動機構の配置スペースがなくてもシャッタ役物装置の設置が可能である。
【図面の簡単な説明】
【００１２】
【図１】本発明の一実施形態に係るシャッタ役物装置が適用された遊技盤の盤面において待機姿勢にあるときの一対の縦割ハート部材を透視して示す概略盤面図である。
【図２】同じくハート完成姿勢にあるときの一対の縦割ハート部材を示す概略盤面図である。
【図３】本発明の一実施形態に係るシャッタ役物装置の概略を一対の縦割ハート部材の待機姿勢時において示す正面図である。
【図４】同じく一対の縦割ハート部材のハート完成姿勢時において示す正面図である。
【図５】図３に示すシャッタ役物装置の斜視図である。
【図６】同上装置の駆動機構のハート部材昇降用駆動機構部によるハート部材開閉用駆動機構部の昇降動作の説明図で、ハート部材開閉用駆動機構部が下降位置にあるときの両駆動機構部を示す正面図である。
【図７】同じくハート部材開閉用駆動機構部が下降位置と上昇位置との中間位置にあるときの両駆動機構部を示す正面図である。
【図８】同じくハート部材開閉用駆動機構部が上昇位置にあるときの両駆動機構部を示す正面図である。
【図９】同上ハート部材開閉用駆動機構部による一対の縦割ハート部材の開閉動作の説明図で、開状態にあるときの一対の縦割ハート部材及び同部材開閉用駆動機構部の要部を示す正面図である。
【図１０】同じく開状態と閉状態との中間状態にあるときの同上部材及び機構部の要部を示す正面図である。
【図１１】同じく閉状態にあるときの同上部材及び機構部の要部を示す正面図である。
【図１２】図９に示す同上部材及び機構部の要部の裏面図である。
【図１３】図１０に示す同上部材及び機構部の要部の裏面図である。
【図１４】図１１に示す同上部材及び機構部の要部の裏面図である。
【発明を実施するための形態】
【００１３】
以下、本発明の実施の形態を図面に基づき説明する。なお、各図間において、同一符号は同一又は相当部分を示す。
図１及び図２から分かるように、シャッタ役物装置は、パチンコ機の遊技盤１の盤面２のほぼ中央に配置されて遊技状況に応じた画像を表示し、遊技の演出を行なう表示器３の画面４の前方（遊技者側）に、ハート形状の枠状演出体５を出没（出現／隠蔽）させる装置である。
ここで、上記盤面２には、打ち込まれた遊技球が流下する遊技領域６が設定され、同遊技領域６には入賞口６ａ、アウト口６ｂや、図示しない風車、遊技釘等が設けられ、またそのほぼ中央部にはセンター飾り７が配設されている。上記表示器３は液晶表示器等の画像表示器からなり、その画面４が上記センター飾り７の開口部に位置決めされている。
【００１４】
ハート形状の枠状演出体５は、上記のような表示器３の画面４の前方に出没、つまり画面４の前方に現われたり画面４の前方から（盤面２からも）隠されたりされる演出体である。例えば、遊技者が短時間に多量の賞球を獲得できる所謂大当り発生時には、表示器３の画面（以下、表示器画面と記す。）４の前方に枠状演出体５によるハート形状が出現する。それ以外の時には、枠状演出体５は表示器画面４から隠蔽され（表示器画面４の周囲に隠され）、表示器画面４の前方にハート形状が出現しない、という遊技の演出をする。
【００１５】
図３及び図４から分かるように、上記枠状演出体５は、ハート形状の上部の左右方向ほぼ中央位置（ほぼＶ字状の窪み位置）で縦割にて二分された一対の縦割ハート部材８，９で形成されている。そして、この一対の縦割ハート部材８，９が、その各下端部分を支点１０，１１としてハート形状の上部の左右方向ほぼ中央位置（開閉端１２，１３）にて開閉可能に構成されている。
各縦割ハート部材８，９の正面側には、適宜の色彩や模様等からなる装飾あるいは電飾が施されている。
【００１６】
上記のように枠状演出体５は、ハート形状の上部の左右方向ほぼ中央位置で縦割にて二分された一対の縦割ハート部材８，９で形成されているが、その理由を以下に述べる。
すなわち、ハート形状の枠状演出体５は、表示器画面４の前方にハート形状を出現させていない待機時（図１，図３参照）において表示器画面４の周囲に隠し易くするために２分割される。この２分割を上記のような縦割で行なえば、後述する待機姿勢として、一対の縦割ハート部材８，９が表示器画面４を左右側から挟むように開状態となし得る。
一対の縦割ハート部材８，９をこのような開状態にすることができれば、一対の縦割ハート部材８，９が待機姿勢において表示器画面４に露出し易い箇所は、その形状から、一対の縦割ハート部材８，９の開閉端１２，１３部分（ハート形状におけるほぼＶ字状の窪み位置に相当する部分）のみとなる。すなわち、１つの縦割ハート部材８，９について１箇所だけとなる。したがって、大型のハート形状を設定する場合には、この１箇所につき、表示器画面４の前方に露出する（表示器画面４に重なる）ことがないように注意すればよく、２箇所につき注意を要する従来技術に比べてハート形状を大型化できる。これに伴って表示器画面４の大型化も可能となり、演出効果の増大を図り得る。
なお、一対の縦割ハート部材８，９の待機姿勢時における表示器画面４前方への露出（表示器画面４への重なり）は、全く生じないことが望ましいが、僅かであれば許容される。表示器画面４のサイズは一般に規格化されているため、可能な限り大型化したハート形状を、その待機姿勢時において上記の露出を全くさせずに済む最適な表示器画面４のサイズが見当たらない場合がある。このような場合が僅かな露出の許容例として挙げられる。この場合の僅かな露出は、本実施形態の一対の縦割ハート部材８，９においては、図１，図３から分かるように、縦割ハート部材８，９の各開閉端１２，１３の先端部分、つまり各縦割ハート部材８，９について１箇所となる。したがって、上述したように従来技術に比べてハート形状を大型化でき、また、表示器画面４の大型化も可能となり、演出効果の増大を図り得る。
【００１７】
また、ハート形状の枠状演出体５を、上記の一対の縦割ハート部材８，９で形成すれば、その開閉を表示器画面４の下方側に配置した駆動機構１４で容易かつ円滑に行なうことができる。一対の縦割ハート部材８，９の開閉に重力を有効かつバランスよく利用できるからである。（一対の横割ハート部材の開閉を表示器画面の側方に配置した駆動機構によって行なう場合には、その一対の横割ハート部材の開閉を容易かつ円滑に行なうことが難しい。）
更に、ハート形状の枠状演出体５を、上記の縦割による一対の縦割ハート部材８，９で形成すれば、駆動機構１４を表示器画面４の下方側へ容易に構成、配置できる。したがって、表示器画面４の側方に駆動機構１４の配置スペースがない場合でもシャッタ役物装置の設置を容易に行なえる。
以上がハート形状の枠状演出体５を縦割による一対の縦割ハート部材８，９で形成した主な理由である。
【００１８】
駆動機構１４は、表示器画面４の下方側に配置され（図３，図４参照）、一対の縦割ハート部材８，９の開閉及び昇降を行なわせる駆動機構である。
この駆動機構１４は、一対の縦割ハート部材８，９について、図３に示す待機姿勢と図４に示すハート完成姿勢との間を相互に移行駆動可能に構成されている。
ここで、待機姿勢とは、図１に示すように、一対の縦割ハート部材８，９を、表示器画面４を左右側から挟むように開状態で下降位置に位置させていて、表示器画面４の前方にハート形状を出現させていないとき（表示器画面４の前方からの隠蔽時）の姿勢を指す。
またハート完成姿勢とは、図２に示すように、一対の縦割ハート部材８，９を閉状態で上昇位置に位置させていて、表示器画面４の前方にハート形状（完成したハート形状）を出現させているときの姿勢を指す。
【００１９】
上記駆動機構１４を表示器画面４の下方側に配置したのは、表示器画面４の周囲において、側方側は比較的空きスペースが少なく、駆動機構１４の設置スペースの確保が困難であることによる。また、駆動機構１４の昇降や一対の縦割ハート部材８，９の開閉に際して、それらを、重力を利用してバランスよく、かつ円滑に作動させ易いことも、その理由である。
この駆動機構１４は、遊技者に見せる必要のないパチンコ機の機械構成部分であり、盤面２からの隠蔽位置（遊技者側から見えない位置）に配置されることはいうまでもない。
【００２０】
図３〜図８に示すように、駆動機構１４は、一対の縦割ハート部材８，９について、上記のように待機姿勢とハート完成姿勢との間を相互に移行駆動可能にするため、ハート部材昇降用駆動機構部（以下ハート部材昇降機構部と略記する。）１５とハート部材開閉用駆動機構部（以下ハート部材開閉機構部と略記する。）１６とを備えて構成されている。
【００２１】
以下、ハート部材昇降機構部１５について、図５〜図８を参照して説明する。
ハート部材昇降機構部１５は、上記ハート部材開閉機構部１６を昇降させる駆動機構部であって、図示例では、モータ１７、リンク機構１８、ガイド棒（ガイド体）１９、コイルスプリング（弾性体）２０、フォトインタラプタ２１及びこれらを適宜支持するベース部材２２を備えて構成されている。
この場合、リンク機構１８は、一端がモータ１７に固着された第１リンク２３（図５参照）及びこの第１リンク２３の他端のピン（符号省略）が一端の長孔２４（図６参照）内に挿通され係合された第２リンク２５を備えてなる。この第２リンク２５は、ほぼく字状に形成され、その屈曲部（支点）２６が静止部、図示例ではベース部材２２に固定された軸２７に軸支され、他端に穿設された長孔（符号省略）がハート部材開閉機構部１６、詳しくはハート部材開閉機構部１６のケース２８の上部に固定された軸２８に係合、支持されている。
【００２２】
以上の構成において、ハート部材昇降機構部１５は、図５及び図６に示すハート部材開閉機構部１６が下降位置（一対の縦割ハート部材８，９が待機姿勢にある位置）にある状態から、モータ１７が回転、例えば正転すると、第１リンク２３が回動して第２リンク２５が矢印リ方向に回動し、ハート部材開閉機構部１６を引き上げる。すなわち、ハート部材開閉機構部１６を上昇位置に向けて上昇させる（図６〜図８参照）。
【００２３】
図８はハート部材開閉機構部１６が上昇位置に達した状態を示すが、この状態からモータ１７が逆転すると、第１リンク２３が上記とは逆方向に回動（逆回動）して第２リンク２５が矢印リ方向とは逆方向に回動し、ハート部材開閉機構部１６を押し下げる。すなわち、ハート部材開閉機構部１６を下降位置に向けて下降させる（図８〜図６参照）。
【００２４】
第２リンク２５の一端側には遮光片２９が固定され（図６，図７参照）、ハート部材開閉機構部１６が下降位置に達したときに（図６参照）、静止部、図示例ではベース部材２２に取り付けられたフォトインタラプタ２１を作動させる。そして、モータ停止信号をハート部材昇降機構部１５の制御回路（図示せず）に与えてモータ１７を停止させ、ハート部材開閉機構部１６を下降位置で静止、すなわち一対の縦割ハート部材８，９を待機姿勢（図５，図６参照）に復帰させるように構成されている。
【００２５】
ここで、ハート部材開閉機構部１６のケース２８の左右両端側には、各々上下方向に向けられたガイド棒１９がベース部材（静止部）２２に固定して設けられている。一方、上記ケース２８の左右両側部には、上記ガイド棒１９が各々挿通され、ガイド棒１９とでケース２８の昇降を案内するガイド枠３０が各々設けられ、第２リンク２５の回動によるハート部材開閉機構部１６の昇降方向を垂直方向に導いている。
また、各ガイド棒１９の側部には、同ガイド棒１９に並行して弾性体、図示例ではコイルスプリング２０が各々配置されている。各コイルスプリング２０は、上端部がベース部材２２に固定され、下端部がガイド枠３０の下端部に連結されている。そして、各コイルスプリング２０は、ハート部材開閉機構部１６のケース２８（以下、単にハート部材開閉機構部１６とも記す。）が少なくともその下降位置にあるときに上方への偏倚力が働くようなばね力を有している。ハート部材開閉機構部１６は、そのようなばね力を有するコイルスプリング２０に吊り下げられており、ハート部材開閉機構部１６の、特に上昇開始時において、第２リンク２５の回動力によるハート部材開閉機構部１６の上昇力を補い、上昇開始を助力する。
【００２６】
次に、上記ハート部材開閉機構部１６について、主に図９〜図１１（正面図）及び図１２〜図１４（裏面図）を参照して説明する。
上記ハート部材開閉機構部１６は、詳細を上述した一対の縦割ハート部材８，９の開閉を行なわせる駆動機構部である。このハート部材開閉機構部１６は、図９〜図１４に示すように、モータ３１、小径の第１平歯車３２、径を同じくする一対の大径歯車（第２平歯車３３及び第３平歯車３４）、フォトインタラプタ３５及びこれらが組み付けられたケース２８（図５〜図８参照）を備えて構成されている。
【００２７】
図１２〜図１４から分かるように、第１平歯車３２は、モータ３１の回転軸４２に填め込み固着されて第２平歯車３３に噛合し、この第２平歯車３３は第３平歯車３４に噛合している（以下、平歯車を単に歯車と記す）。第２歯車３３及び第３歯車３４の各側面には、両歯車３３，３４の各回転軸４３，４４から半径方向に等距離離れた位置にピン３６，３７が立設されている。
また、一対の縦割ハート部材８，９の各下端部分には、その一対の縦割ハート部材８，９の各開閉支点１０，１１から遠ざかる方向にアーム部３８，３９が延出形成され、また、各アーム部３８，３９には長孔４０，４１が穿設されている。このアーム部３８，３９及び長孔４０，４１は、枠状演出体５を二分して一対の縦割ハート部材８，９を形成する際の縦割線を対称軸として線対称に形成されている。上記開閉支点１０，１１、歯車３３，３４、ピン３６，３７も上記の縦割線を対称軸として対称な位置に位置決めされている。
なお、一対の縦割ハート部材８，９の開閉支点１０，１１は、その一対の縦割ハート部材８，９が各々回動自在にケース２８（図５〜図８参照）に設定されている。
【００２８】
上記第２歯車３３及び第３歯車３４の各ピン３６，３７は、一対の縦割ハート部材８，９の各アーム部３８，３９の長孔４０，４１内に挿通され係合されている。
各ピン３６，３７は、モータ３１の回転、例えば正転による、第１歯車３２→第２歯車３３→第３歯車３４の矢印イ、ロ、ハ方向の回転に伴い、第２歯車３３，第３歯車３４の各回転軸４３，４４を中心として矢印ロ，ハ方向に公転しながら各長孔４０，４１内を移動する。各ピン３６，３７は、一対の縦割ハート部材８，９の各開閉支点１０，１１に対して、始めに遠ざかる方向に移動し、その後、近づく方向に移動し、一対の縦割ハート部材８，９を閉状態に向けて回動させるためのピンである（図１２〜図１４、図９〜図１１参照）。
図１４は一対の縦割ハート部材８，９が閉状態に達した状態を示すが、この状態からモータ３１が逆転すると、第１歯車３２、第２歯車３３、第３歯車３４は矢印ホ、ヘ、ト方向（矢印イ、ロ、ハとは逆方向）に回転する。これにより各ピン３６，３７は、第２歯車３３，第３歯車３４の各回転軸４３，４４を中心として矢印ヘ、ト方向（矢印ロ，ハとは逆方向）に公転しながら各長孔４０，４１内を上記とは逆方向に移動する。そして、一対の縦割ハート部材８，９を開状態に向けて回動させる（図１４〜図１２、図１１〜図９参照）。
【００２９】
一対の縦割ハート部材８，９のアーム部３８，３９のいずれか一方、図示例では第１縦割ハート部材８のアーム部３８には遮光片４７が固定され、一対の縦割ハート部材８，９が開状態に達したときに（図１２参照）、上記ケース２８に取り付けられたフォトインタラプタ３５を作動させる。そして、モータ停止信号をハート部材開閉機構部１６の制御回路（図示せず）に与えてモータ３１を停止させ、一対の縦割ハート部材８，９を開状態で静止させるように構成されている。
【００３０】
また、一対の縦割ハート部材８，９の各上部の開閉端１２，１３近傍には、ハート形状の外周側に延出するガイド片４５，４６が一体形成されている。一方、表示器画面４の周囲の構成部材、図示例では装飾部材１００（図１，図２参照）の、上記一対の縦割ハート部材８，９の開閉方向に沿う方向には、上記ガイド片４５，４６が挿通されるガイド溝（図示せず）が形成されている。そして、一対の縦割ハート部材８，９の開閉時には、上記ガイド溝にガイド片４５，４６が案内されながら円滑にその開閉がなされるように構成されている。
【００３１】
次に、このようなシャッタ役物装置の動作について説明する。
上述したように、一対の縦割ハート部材８，９について、待機姿勢とは、図１，図３に示すように、一対の縦割ハート部材８，９を開状態で下降位置に位置させていて、表示器画面４の前方にハート形状を出現させていないとき（表示器画面４の前方からの隠蔽時）の姿勢を指す。またハート完成姿勢とは、図２，図４に示すように、一対の縦割ハート部材８，９を閉状態で上昇位置に位置させていて、表示器画面４の前方にハート形状（完成したハート形状）を出現させているときの姿勢を指す。
【００３２】
図１，図３に示す待機姿勢では駆動機構１４は図５，図６に示す状態にある。すなわち、駆動機構１４のハート部材開閉機構部１６は下降位置にあり、かつ、一対の縦割ハート部材８，９を開状態に静止させた状態にある。
この待機姿勢から図２，図４に示すハート完成姿勢に移行させるには、まず、ハート部材昇降機構部１５を図６〜図８に示すように駆動する。すなわち、モータ１７を正転させ、第１リンク２３を回動させて第２リンク２５を矢印リ方向に回動させ、ハート部材開閉機構部１６を引き上げ、上昇位置に向けて上昇させる。
【００３３】
ハート部材開閉機構部１６が図８に示す上昇位置に達すると、ハート部材昇降機構部１５によるハート部材開閉機構部１６の引き上げ上昇動作は停止する。ハート部材開閉機構部１６が上昇位置に達したことは、例えばハート部材開閉機構部１６の下降位置からのモータ１７の回転角をハート部材昇降機構部１５の制御回路（図示せず）が演算することによって検知される。
【００３４】
ハート部材開閉機構部１６が図８に示す上昇位置に達し、ハート部材開閉機構部１６の上昇動作が停止すると、ハート部材開閉機構部１６は一対の縦割ハート部材８，９を開状態から閉状態に向けて回動させる。すなわち、図１２〜図１４に示すように、ハート部材開閉機構部１６のモータ３１を正転させて、第１歯車３２→第２歯車３３→第３歯車３４を矢印イ、ロ、ハ方向に回転させ、第２歯車３３，第３歯車３４の各ピン３６，３７を矢印ロ，ハ方向に公転させて各長孔４０，４１内を移動させる。各ピン３６，３７は、一対の縦割ハート部材８，９の各開閉支点１０，１１に対して、始めに遠ざかる方向に移動され、その後、近づく方向に移動され、一対の縦割ハート部材８，９を閉状態に向けて回動させる。
【００３５】
一対の縦割ハート部材８，９は、図１４（図１１）に示す閉状態に達すると、ハート部材開閉機構部１６による上記した一対の縦割ハート部材８，９の回動は停止し、ハート完成姿勢を示す。すなわち、表示器画面４の前方にハート形状を出現させる（図２，図４参照）。
一対の縦割ハート部材８，９が閉状態に達したことは、例えばハート部材開閉機構部１６の開状態からのモータ３１の回転角をハート部材開閉機構部１６の制御回路（図示せず）が演算することによって検知される。
【００３６】
このハート完成姿勢から図１，図３に示す元の待機姿勢に復帰移行させるには、まず、ハート部材開閉機構部１６は一対の縦割ハート部材８，９を閉状態から開状態に向けて回動させる。すなわち、図１４に示すように、ハート部材開閉機構部１６のモータ３１を逆転させて、第１歯車３２→第２歯車３３→第３歯車３４を矢印ホ、ヘ、ト方向（矢印イ、ロ、ハとは逆方向）に回転させる。そして、第２歯車３３，第３歯車３４の各ピン３６，３７を矢印ヘ、ト方向（矢印ロ，ハとは逆方向）に公転させて各長孔４０，４１内を上記とは逆方向に移動させ、一対の縦割ハート部材８，９を開状態に向けて回動させる。
【００３７】
一対の縦割ハート部材８，９が、図１２（図９）に示す開状態に達すると、ハート部材開閉機構部１６による上記の一対の縦割ハート部材８，９の逆回動は停止する。すなわち、表示器画面４の前方に出現していたハート形状が表示器画面４から隠蔽される。
一対の縦割ハート部材８，９が図１２に示す開状態に達したことは、ハート部材開閉機構部１６のフォトインタラプタ３５によって検知される。
【００３８】
次に、ハート部材昇降機構部１５を図８〜図６に示すように駆動する。すなわち、モータ１７を逆転させ、第１リンク２３の逆回動を介して第２リンク２５を矢印リ方向とは逆方向に回動させ、ハート部材開閉機構部１６を押し下げ、ハート部材開閉機構部１６を下降位置に向けて下降させる。
【００３９】
ハート部材開閉機構部１６が図６に示す下降位置に達すると、ハート部材昇降機構部１５によるハート部材開閉機構部１６の押し下げ下降動作は停止し、ハート部材開閉機構部１６は下降位置で静止する。すなわち、一対の縦割ハート部材８，９は待機姿勢（図５，図６；図１，図３参照）に復帰する。
ハート部材開閉機構部１６が下降位置に達したことは、ハート部材昇降機構部１５のフォトインタラプタ２１によって検知される。
なお、ハート部材開閉機構部１６及びハート部材昇降機構部１５の制御はそれらの制御回路（図示せず）により行なわれる。
【００４０】
上述実施形態では、枠状演出体の形状をハート形状としたが、この形状のみに限定されることはない。例えば、扇形状、矢羽根形状あるいはスペード形状等であってもよい。基本的には閉じた形状とされる。
【符号の説明】
【００４１】
１：遊技盤、２：盤面、３：表示器、４：画面（表示器画面）、５：ハート形状の枠状演出体、８，９：一対の縦割ハート部材、１０，１１：支点、１４：駆動機構、１５：ハート部材昇降用駆動機構部（ハート部材昇降機構部）、１６：ハート部材開閉用駆動機構部（ハート部材開閉機構部）、１９：ガイド棒（ガイド体）、２０：コイルスプリング（弾性体）、２２：ベース部材（静止部）、２８：ケース、４５，４６：ガイド片、１００：装飾部材。
【図１】
0005787568.tif 000002
【図２】
0005787568.tif 000003
【図３】
0005787568.tif 000004
【図４】
0005787568.tif 000005
【図５】
0005787568.tif 000006
【図６】
0005787568.tif 000007
【図７】
0005787568.tif 000008
【図８】
0005787568.tif 000009
【図９】
0005787568.tif 000010
【図１０】
0005787568.tif 000011
【図１１】
0005787568.tif 000012
【図１２】
0005787568.tif 000013
【図１３】
0005787568.tif 000014
【図１４】
0005787568.tif 000015